Podtech/llm-jp-corpus-v4-ja_patent huggingface dataset:
(57)【要約】【課題】従来の毛先歯ブラシは、歯ぐきをブラッシングすると痛かったり、傷をつけたりして歯ぐきを十分にマッサージすることができなかった。また、毛先部分をスポンジだけにしても弾力性がなく、同様にマッサージ効果がなかった。【解決手段】歯ブラシ台座１の両面に弾力性のあるスポンジゴム３を取り付けその周囲をスポンジ２で覆う。【選択図】図１
0003122874.tif 000002
【実用新案登録請求の範囲】
【請求項１】
歯ブラシ台座（１）の両面にスポンジゴム（３）を取り付け、その周囲をスポンジ（２）で覆った歯ブラシ。
【考案の詳細な説明】
【技術分野】
【０００１】本考案は、歯肉のマッサージが容易な歯ブラシに関するものである。
【背景技術】
【０００２】従来の毛先ハブラシは、歯ぐきに対して一定の力を加えてブラッシングすると痛かったり、傷をつけたりして十分なマッサージ効果が得られなかった。また、毛先部分をスポンジだけにしても弾力性がなくブラッシングには不適切であった。
【考案の開示】
【考案が解決しようとする課題】
【０００３】歯ぐきを傷つけずに十分な圧力でマッサージできる歯ブラシを提供することを課題とする。
【課題を解決するための手段】
【０００４】課題を解決するために、歯ブラシ台座１に弾力性があるスポンジゴム３を両面に取り付ける。その上をスポンジ２で覆うことにより歯ぐきを傷つけることなく適度な圧力で歯ぐきをマッサージすることができる。また、両面が使用できるため磨き面を気にせずブラッシングができる歯ブラシである。
【考案の効果】
【０００５】本考案のスポンジ歯ブラシにより、歯ぐきを適度な力でマッサージすることにより、歯ぐきの強化が期待できる。また、スポンジであるため、歯表面のエナメル質を傷つけることもなく、数度のブラッシングで汚れを落とすことができる。
【考案を実施するための最良の形態】
【０００６】歯ブラシ台座１の両面に弾力性のあるスポンジゴム３を取り付けその周囲をスポンジ２で覆う。
【実施例】
【０００７】歯ブラシ台座１の両面に弾力性のあるスポンジゴム３を取付けその周囲をスポンジ２で覆うことにより、歯ぐきを磨いても痛くなく、歯表面の汚れを効率よく落とすことができる
【図面の簡単な説明】
【０００８】
【図１】スポンジ歯ブラシの側面図及び拡大断面図である。
【符号の説明】
【０００９】１  歯ブラシ台座
２  スポンジ
３  スポンジゴム
４  柄
【図１】
0003122874.tif 000003
(57)【要約】      （修正有）【課題】メタルアレルギーの可能性が少ない金属に、ラジウムを埋め込んだ健康装飾品の提供。【解決手段】ラジウムの粉末を混合した合成樹脂を、チタン形成物の凹部分に埋め込んだチタン形成の健康装飾品。【選択図】図１
0003122872.tif 000002
【実用新案登録請求の範囲】
【請求項１】
メタルアレルギーの可能性が少ないチタンを形成材とした装飾品に、ラジウム粉末を混合した合成樹脂を埋め込んだ健康装飾品。
【請求項２】
請求項１におけるラジウム粉末を混合した合成樹脂を埋め込んだ表面の一部、または全面をチタンのメッキにて埋め込みの跡消し処理をしたもの。
【請求項３】
請求項１におけるラジウム粉末を混合した合成樹脂の埋め込み方法を、チタンの四部と合成樹脂を円盤状に成形し、各側面にネジ山を持たせたネジ込み式による埋め込みにしたもの。
【請求項４】
請求項１におけるラジウム粉末を混合する合成樹脂を、ガラス叉は陶器製とするもの。
【考案の詳細な説明】
【技術分野】
【０００１】  本考案は、メタルアレルギーの可能性が少ないチタン形成物に、放射線による健康増進が得られるラジウムを混合した合成樹脂を埋め込んだ装飾品に関するものである。
【背景技術】
【０００２】  チタン合金にゲルマニウムを含有した健康装飾品がある。
【特許文献１】  特開２００５−２４０１６９号公報
【０００３】  弾性ある合成樹脂にトルマリンやラジウムや磁石を帯状又はＣ型の両端に設けた健康リングがある。
【特許文献２】  特開２００４−１０５６６７号公報
【考案の開示】
【考案が解決しようとする課題】
【０００４】  メタルアレルギーの可能性が少ないチタン形成物に、放射線による健康増進が得られるラジウムを混合した合成樹脂を埋め込んだ装飾品に関するものは確認されない。
【課題を解決するための手段】
【０００５】  ラジウム粉末を混合した合成樹脂を、チタン形成物の凹部分に埋め込んだチタン形成の装飾品。
【考案の効果】
【０００６】  形成物がチタンなのでメタルアレルギーの可能性が少ない金属製装飾品であり、またラジウム粉末を混合した合成樹脂を埋め込んであるので放射線による健康増進が得られ、安全かつ健康増進の装飾品となる。
【実施例１】
【０００７】  以下、本考案の実施の形態について説明する。
装飾品の本体となる形成物にチタンを使用することにより、金属が直説肌に触れた場合におきる可能性があるメタルアレルギーを防止し、そのチタン形成物（１）にラジウム混合の合成樹脂（３）を埋め込むためのチタン形成物の凹部分（２）を設け、そこへ接着剤の層（４）を施しラジウム混合の合成樹脂（３）を埋め込んで固定させる。以上によりメタルアレルギーの防止と併せてラジウムの放射線効果による健康増進を得ることができ、かつ安全に肌身に着けられる金属製の健康装飾品となる。装飾品の分野として、ブレスレット・ネックレス・指輪・イヤリング・ピアスなどに適用できる。【０００８】  本考案のラジウム混合の合成樹脂（３）を埋め込んだ側の表面の一部、または全面にチタンのメッキ層（５）を設け、埋め込み跡をかくしメタルアレルギーをさらに防止することができる。【０００９】  本考案のラジウム混合の合成樹脂（３）の埋め込み方法を、チタンの凹部と合成樹脂を円盤状に成形し、各側面にネジ山を持たせたネジ込みによる埋め込みにすることにより安定的な固定が得られる。【００１０】  本考案のラジウム混合の合成樹脂（３）における合成樹脂に換えて、ガラス又は陶器製が可能であり加工の選択肢とする。
【図面の簡単な説明】
【００１１】
【図１】  本考案の断面図である。
【図２】  チタン形成物（１）に、ラジウム混合の合成樹脂（３）が埋め込まれる直前の斜視図である。
【図３】  チタン形成物（１）に、ラジウム混合の合成樹脂（３）が埋め込まれた斜視図である。
【図４】  請求項１に、請求項２のチタンのメッキ処理を施した斜視図である。
【図５】  請求項１に、請求項２のチタンのメッキ処理を施し、請求項３のネジ込みによる埋め込みを施した断面図である。
【図６】  請求項１で、ブレスレットに適用させた使用例の斜視図である。
【符号の説明】
【００１２】  １  チタン形成物
２  チタン形成物の凹部分
３  ラジウム混合の合成樹脂
４  接着剤の層
５  チタンのメッキ層
６  凹部分の側面にネジ山を施したチタン形成物
７  ネジ山を施したラジウム混合の合成樹脂
【図１】
0003122872.tif 000003
【図２】
0003122872.tif 000004
【図３】
0003122872.tif 000005
【図４】
0003122872.tif 000006
【図５】
0003122872.tif 000007
【図６】
0003122872.tif 000008
(57)【要約】      （修正有）【課題】即席食品の容器は熱湯を注ぐと、薄い蓋が反り返り開いて蒸気が漏れ効果が無くなるため何らかの代用品の重しを乗せて数分間蓋を押さえる必要があった。しかも熱湯の蒸気に耐え、かつ適度な重さがあり滑らず密着性のある即席食品容器専用の重し蓋は市販されておらず、不便性を感じるものであった。【解決手段】本考案は円形・扁平で上部に持ち手が着いた即席食品専用の重し蓋であって、耐熱性に優れた素材を使用し適度な重みと密着性で即席食品容器の蓋を押さえることができる。即席食品の図柄・文字・広告などが表示されていることで、使用用途方法が一目瞭然である。又、移動する麺の具やキャラクターの模型が内蔵されていることで、実用的だけではなくコレクション的な要素も兼ね備え、遊び心を持って楽しく調理時間を待てる物にした。【選択図】図１
0003122871.tif 000002
【実用新案登録請求の範囲】
【請求項１】
円形・扁平で上部表面に持ち手が着いている、即席食品容器に用いる重し蓋。
【請求項２】
透明又は半透明で耐熱性に優れたシリコン素材や、透明なアクリル素材で形成したことを特徴とする、請求項１記載の即席食品容器の重し蓋。
【請求項３】
蓋の内部に即席食品容器の蓋、又は側面の図柄・文字・広告等が表示されていることを特徴とする、請求項１・２記載の即席食品容器の重し蓋。
【請求項４】
透明素材の上部蓋と、蓋の内部に表示されている図柄との間にある隙間に、麺の具やキャラクターなどの移動する扁平模型が施されていることを特徴とする、請求項１・２・３記載の即席食品容器の重し蓋。
【考案の詳細な説明】
【技術分野】
【０００１】本考案は家庭台所用品に関する。
【背景技術】
【０００２】本考案の従来技術に相当する技術は市販されておらず、無いものとする。
【考案が解決しようとする課題】
【０００３】上述のごとく従来技術に相当する物は無く、代用品を用いていたものと思われる。
【課題を解決するための手段】
【０００４】現状では本考案の従来技術に相当する技術は無く、代用品のみである。
上述の目的を達成する本考案の即席食品容器に用いる専用の重し蓋は、即席食品容器の蓋と同型、やや大きめの扁平円形で表面に持ち手が着いており、水切れも良く衛生面にも優れている。
又、即席食品容器の薄いアルミニウム多層箔の蓋に密着し、熱湯を注いだ時にも蒸気が漏れずに調理できる。
【０００５】本考案は、耐熱・耐冷に優れたシリコン素材を使用しており、１００度以上の熱湯の蒸気にも耐え、適度な重さがあることからずれ落ちをふせぐ。
又、扁平円形の蓋の表面が透明であることから、表面に施された図柄・文字・広告等が見易くなっている。
【０００６】本考案の蓋の内部に、即席食品容器の蓋の図柄、又は側面の図柄・文字・広告等を印刷した物を入れることで、図柄などの剥げ落ちを防ぎ衛生面に配慮、本考案の使用用途と方法を一目瞭然にした。
【０００７】本考案の上部透明素材で出来た蓋と、蓋の内部に表示されている図柄・文字・広告等との隙間に、麺の具やキャラクターなどの移動する扁平模型を入れることで、玩具的要素を取り入れ大人から子供まで楽しく調理時間を待てるものにした。
【考案の効果】
【０００８】以上説明したように本考案は、シリコン素材やアクリル素材などを使用した扁平円形の即席食品容器専用の重し蓋であり、耐熱・耐冷に優れ図柄も蓋の大きさも、即席食品容器の種類に合わせて多様に設定でき、素材上滑り落ちることもない。図柄を透明な素材の中に入れることで図柄が剥げ落ちるのを防ぐことが出来、洗浄に耐えかつ衛生的である。
即席食品容器の蓋は薄く、熱湯を注ぐと反り返り何らかの代用品で押さえる必要があるが、本考案は即席食品容器専用の重し蓋として遊び心を持って楽しく使用出来る物である。
【考案を実施するための最良の形態】
【０００９】以下、本考案の実施の形態を図面に基づき、詳細に説明する。【００１０】図１〜図３は本考案の実施の形態を表し、図１はその外観斜視図、図２はその断面図、図３はその使用立体図である。
【図面の簡単な説明】
【００１１】
【図１】本考案即席食品容器専用重し蓋の斜視図であり、図で示すように円形扁平で透明な蓋の表面に取っ手が取り着けてあり、中に即席食品の蓋の図柄が施され、図柄の上に扁平で移動する麺の具の模型が乗せてある。
【図２】本考案即席食品容器専用重し蓋の横から見た断面図であり、図で示すように縁と底は滑りにくい素材を使用する。汚れをつきにくくするため取っ手と蓋表面を一体化する。麺の具やキャラクターの模型は良く滑り動くようにする。
【図３】本考案即席食品容器専用重し蓋の使用状態を表す立体図であり、図で示すように熱湯を注いだ即席食品容器の蓋の上に乗せて使用する。
【符号の説明】
【００１２】１  持ち手
２  透明上部蓋
３  透明上部蓋と麺の図柄との隙間
４  移動する麺の具の模型
５  麺の図柄・文字・キャラクターの図
６  縁
７  底
Ａ  即席食品容器の蓋
Ｂ  即席食品容器
【図１】
0003122871.tif 000003
【図２】
0003122871.tif 000004
【図３】
0003122871.tif 000005
(57)【要約】【課題】本考案は眼鏡の置き忘れをなくし、身につけておくことができる眼鏡保持器を提供する。【解決手段】本体にバネを介して止めを設けると共に、本体に固定した回転自在なリングを載せるようにした。【選択図】図１
0003122878.tif 000002
【実用新案登録請求の範囲】
【請求項１】
本体にバネを介して止めを設けると共に、本体に固定した支えに回転自在なリングを載せた事を特徴とする眼鏡保持器
【考案の詳細な説明】
【技術分野】
【０００１】本考案は、眼鏡を衣服に引っ掛けて固定する。眼鏡保持器に関するものである。
【背景技術】
【０００２】眼鏡の着脱に関して置き忘れあり、眼鏡が必要な時いつも眼鏡を探していた
【考案の開示】
【考案が解決しようとする課題】
【０００３】眼鏡の置き忘れ、必要な時いつも眼鏡を探していた。従って考案の課題は置き忘れを防止し眼鏡が必要なとき、ただちにみつけられるように、する事である
【課題を解決するための手段】
【０００４】衣服に止めを介して保持器をはさんで止め眼鏡を掛ける。リングが回転自在になり滑り落ち防止することにより問題を解決している。
【考案の効果】
【０００５】眼鏡を、いつも身体衣服に付けているため置忘れがなく、すぐに眼鏡が使える効果がある。イライラする必要がない。
【考案を実施するための最良の形態】
【０００６】衣服の、使用しやすい部分に止めを介して保持器をつけ、リング２に眼鏡をかけるようにする。
【実施例】
【０００７】以下、添付図面に従って実施例を説明する。１は耐久性のプラスチック等適宜素材にて形成された眼鏡保持器本体、２は、眼鏡のツルを引っ掛けるリング、３は軸  ４の固定パイプに３の軸を通し回転自在となる。５はバネを介し６の止め金を開けて衣服に挟み保持器を装着する。７は２のリングが下向きにならないための支え【０００８】８は眼鏡のフレーム、９は眼鏡のツル。眼鏡保持器の２のリングに９の眼鏡のツルをかけて使用する。【０００９】眼鏡保持器に眼鏡をかけてうつむくなど、動作があっても回転自在な、３の軸があるために眼鏡がすべり落ちない。
【図面の簡単な説明】
【００１０】
【図１】本考案の眼鏡保持器の実施例を示す斜視図である。
【図２】眼鏡保持器の斜視図
【図３】眼鏡保持器の側面図
【図４】眼鏡保持器の止め金を上げた状態の側面図
【図５】眼鏡保持器の背面斜視図
【図６】眼鏡保持器の正面図
【符号の説明】
【００１１】１  眼鏡保持器本体
２  リング
３  軸
４  固定パイプ
５  バネ
６  止め
７  リング支え
８  眼鏡フレーム
９  眼鏡のツル
【図１】
0003122878.tif 000003
【図２】
0003122878.tif 000004
【図３】
0003122878.tif 000005
【図４】
0003122878.tif 000006
【図５】
0003122878.tif 000007
【図６】
0003122878.tif 000008
(57)【要約】      （修正有）【課題】横たえた状態でザックのボトム袋に入り、全体の重心を引下げ、重荷を雪道で長時間担ぐ登山者等に最も望ましい飲料タンクになる凍結防止用保温ケース入２リッター角型タンクを提供する。【解決手段】２リッターの角型ペットボトルにアルミ保温シート（裏側ポリエチレン、表側アルミ、ポリエステル  厚み：３ｍｍ）をペットボトル全体包み込む形状、寸法に裁断し、アルミキッチンテープで接合部分を止める。【選択図】図１
0003122877.tif 000002
【実用新案登録請求の範囲】
【請求項１】
凍結防止保温ケース入り２リッター飲料角タンク
【考案の詳細な説明】
【技術分野】
【０００１】本考案は、凍結防止保温ケース入り２リッター飲料角タンクに関するものである。
【背景技術】
【０００２】  現在屋外スポーツ用品市場に冬季用として、凍結防止ケース付として売られているのが１リッターの円筒型ポリタンクがほとんどである。２リッターの容量では、とって付の角型ポリタンクである。この角型ポリタンクを入れられる保温ケースは市場には無い。冬季におけるアウトドアスポーツでテント泊の場合、１リッターの飲料水では、一人で且つ夕食、一回分の支度でも足りないぐらいである。即ち主食のご飯を炊く場合、レトルト食品のアルファー化されたご飯を過熱する場合、山等では電子レンジが無いので、お湯を沸かしその中に沈みこませ、１５分程度加温する。その為には約１／２リッターの水を必要とする。おかずとするカレー等を加温するには、ご飯を加温するに使ったお湯を、再度使うとしても、味噌汁には新たな飲料水が必要になる。食後お茶を飲もうとすると更に水が必要になる。一人一食分の食事に０．６から０．８リッターのまさに飲料水が必要になる。その為冬季キャンプ生活するものは、キャンプ場の飲料水を購入するか、谷川の水を汲みに上り下りするか、雪をコンロに溶かし飲料水にする、いずれかの方法をとっている。然し厳冬期外が吹雪いたりすると、水を汲みにテントを出入りすること自体が、労力と緊張とを強いられる。この為、２リッターの容量で凍結防止保温用ケースに入った、角型の飲料タンクの出現が望まれる。角型を指定するのは、２リッターの円筒形タンクでは、胴径が太くなり、ザックに収納する場合他の荷物に対し隙間が大きく、効率的なパッキングが出来ない。この為望ましい形態は、２リッターの角形ペットボトルが保温ケースに入ったタンクが望ましい。この場合他の荷物に対し隙間が少なく、更に長さが約３０ｃｍ弱で、横たえた状態でザックのボトム袋に入り、全体の重心を引下げ、重荷を雪道で長時間担ぐ登山者等に最も望ましい飲料タンクになる。
【考案の開示】
【考案が解決しようとする課題】
【０００３】現在屋外スポーツ用品市場に冬季用として、凍結防止ケース付として売られているのが１リッターの円筒型ポリタンクがほとんどである。２リッターの容量では、とって付の角型ポリタンクである。この角型ポリタンクを入る保温ケースは市場には無い。この為望ましい形態は、２リッターの角形ペットボトルが保温ケースに入ったタンクが望ましい。この場合他の荷物に対し隙間が少なく、更に長さが約３０ｃｍ弱で、横たえた状態でザックのボトム袋に入り、全体の重心を引下げ、重荷を雪道で長時間担ぐ登山者等に最も望ましい飲料タンクになる。この凍結防止用保温ケース入２リッター角型タンクが本考案で解決しようとする課題である。
【課題を解決するための手段】
【０００４】２リッターの角型ペットボトルにアルミ保温シート（裏側ポリエチレン、表側アルミ、ポリエステル  厚み：３ｍｍ）をペットボトル全体包み込む形状、寸法に裁断し、アルミキッチンテープで接合部分を止めた。これにより凍結防止用保温ケース入２リッター角型タンクが出来た。
【考案の効果】
【０００５】  試作品に水道水を約６０％入れ、冷蔵庫の温度調節を１〜７段階に対し強冷に設定し、冷凍庫に入れ２時間ごとに状態を観察した。
その結果４時間までは、凍結は無く、６時間後に約１／２程凍結した。強冷に設定した。試験データは、下記の通りである。
【表】
0003122877.tif 000003
0003122877.tif 000004
静止状態の飲料水が、６時間後に５０％の凍結状態であることを確認した。歩行中のザックの中で揺られている水は静止状態に比して、凍結しにくい。
以上から本考案者は、考案目的を十分に達成したと判断した。
【考案を実施するための最良の形態】
【０００６】以下、添付図面に従って説明する。アルミ保温シート：材質（裏面）ポリエチレン、（表面）アルミ、ポリエステル、厚み３ｍｍ。
これを図に示すように２リッター角型ペットボトルの寸法に対し縦方向に＋１ｍｍ、横方向に左右１ｍｍずつ＋して裁断した。これをペットボトルにスコッチテープで仮止めし、最後にアルミキッチンテープで本止めをする。このことによりペットボトルは口金のキャップを除いて、全表面を３ｍｍ厚の断熱層のケースに格納されたことになる。試作品の実験結果は、（考案の効果）で述べたとおりである。商品化の段階では、大量生産のための手順を検討すべきではあるが、基本は以上記述した内容が考案を実施するための最良の形態となる。
【実施例】
【０００７】  以下、添付図面に従って説明する。上記（０００６）で記述した内容と同文であるが、実施例はまだない。考案者が行った試作品の、凍結試験が唯一の実施例となる。
【図面の簡単な説明】
【０００８】
【図１】本考案の全体を示す。（イ）は、保温用カバーの裁断図  （ロ）は、保温用カバーをペットボトルに取付けた全体図
【図１】
0003122877.tif 000005
(57)【要約】      （修正有）【課題】構造の簡単な、外側から容易に先端部の滑り止め用ピンを出し入れできる積雪寒冷地用の杖を提供する。【解決手段】先端部が円錐状の突起部となり、該突起部を覆い、季節により、該突起部が露出或いは隠匿できるように、外部から操作することのできるプロテクタ−を備える積雪寒冷地用の杖。【選択図】図１
0003122879.tif 000002
【実用新案登録請求の範囲】
【請求項１】
適宜長さの円錐形を先端に形成する棒状ピン本体部を有する杖本体の他端部に取手を設け、前記ピン本体部を覆い該ピン本体部で螺合して、上方に移動させたときに固定用ロックナットの上面が前記ピン本体部の外周側面に施す雄ネジの終点面に当接し、該ロックナットに付随して上方に移動した時の下方先端部が、前記ピン本体部の先端円錐部の長さに等しい位置で係止されることにより円錐部のみが露出するように、下方先端部に滑り防止用素材から成る保護カバ−を施すプロテクタ−を設けて成る積雪寒冷地用杖。
【考案の詳細な説明】
【技術分野】
【０００１】  本考案は、圧雪路或いは凍結路面等で使用する滑り止め効果を有する杖の改良に関するものである。
【背景技術】
【０００２】  通常の歩行困難な老人或いは障害者が、積雪寒冷地における冬期間の凍結路面上を歩行する場合に必要とされる滑り防止用の杖が多用されている。従来公知のこれらの杖にあっては、古くは、洋傘及び杖用としての先端部が鋭突な石片を棒状態の先端に設けるものが明治３８年７月１０日付けで特許登録されており、以後、様々な形状、構造の同目的の杖が提案されているものの、その多くは先端部が鋭角のピン状或いは爪状の金属片を設けるもの或いは硬質合成ゴム材の接地部を設けるもの等であり、パイプ状杖の内部に先端部の出し入れを操作する駆動体が組み込まれているもので構造が複雑となり、簡単な操作で杖の外部から先端部を出し入れすることの出来る杖が知られていない。鋭突な先端部となる可動部或いはこの可動部に被さり一体となって動くゴム等の筒状接地部を施す先端部の可動部をコイルバネで弾性的に保持し、外部から複数段に切り替えて可動部を使用する状態に合わせて固定する杖も知られているが、使用する係止用ピンに作用する力等に対する設計上の配慮が必要であり、簡単な操作で季節に合わせて使用できる寒冷地用の杖が望まれていた．【０００３】
【特許文献１】    第２１号公報
【特許文献２】    実開昭６２−１４８１２４号公報
【特許文献３】    特開２００５−１５２４５８号公報
【特許文献４】    実開平６−５５４１８号公報
【特許文献５】    特許第１６９５４１８号公報
【考案の開示】
【考案が解決しようとする課題】
【０００４】  本考案は、上記問題に対して、外部から簡単に凍結路面用に切り替え操作のできる構造の簡単な従って故障の少ない杖を提供することを課題としているものである。
【課題を解決するための手段】
【０００５】  適宜長さ、即ち、ピン本体の軸径により角度と長さが選択される円錐形を先端に形成する棒状のピン本体部を有する杖本体の上方他端部に取手を設け、前記ピン本体部を覆い該杖と螺合して、凍結路面を歩行する場合には、取手側の上方に移動させたときに、付随する固定用ロックナットの上面が前記ピン本体部の外周側面に施す雄ネジの終点面に当接し、該ロックナットを緩めて、それと共に上方に移動したときの下方先端面が、前記ピン本体部の円錐の長さに等しい位置で係止されて、該ピン本体部の円錐部のみが露出するようなプロテクタ−を前記雄ネジに螺合させ、該プロテクタ−の接地側先端部には合成ゴム等の滑り防止用素材から成る滑り止を施す積雪寒冷地用杖として課題を解決するものである。
【考案の効果】
【０００６】極めて単純な構造により課題を解決し、単純な構成故の耐久性が保証され安価に提供できる特有の効果を有するものとなる。
【考案を実施するための最良の形態】
【０００７】  以下、図面に示す実施例に従って、本考案の実施態様について詳しく説明する。
図１は本考案の、凍結路面歩行時における使用状態を示す全体の部分断面図であり、図２は同実施例の冬期間以外の季節に使用する場合の使用状態を表わす全体の部分断面図である。上方先端に取手８を設ける杖本体７の下方端部に先端円錐部２を形成し軸部に雄ネジを施し杖７に結合するピン本体１の雄ネジに螺合し移動できる雌ネジを施すプロテクタ−４を設け、このプロテクタ−４の先端接地部には合成ゴムなどの摩擦により滑り防止効果のある素材でなる滑り止３を装着させ、プロテクタ−４はスプリングワッシャ−５を介してロックナット６で、プロテクタ−４を下方に移動させたときに適当な位置で締め付けて固定できるようになっている。この図１の状態では、ロックナット６の上面がピン本体１のネジ部終点に形成されるフランジ面に当接しており、それ以上は上方に移動できないようになっている。従って、プロテクタ−４が上方に移動してもロックナット６正確にはスプリングワッシャ−５に当接する位置で係止して、滑り止３の接地面が、丁度、ピン本体１の先端円錐部２の円錐の長さだけ上方に位置し、先端円錐部２の部分のみが露出して、圧雪或いは氷雪面に突き刺さることに拠り、杖の使用時に滑る事無く安心して高齢者或いは身体障害者が使用できることになる。【０００８】  図２には、図１と同一実施例における冬期間以外での使用状態を部分断面図として示すが，この状態では、プロテクタ−４の下方に設けてある滑り止３の接地面がピン本体１の先端円錐部２より下方に位置して、その先端円錐部２が設置できないようになっており、その適当な位置でスプリングワッシャ−５を介してロックナット６でプロテクタ−４が固定されている。この場合、プロテクタ−４の固定位置は先端円錐部２が路面に接地しない位置に適当に決めることができる。この状態での使用は、ピン先で路面に傷をつけることも無く且つ滑り止３により雨などで濡れて滑りやすい道路の状況でも安心して使用できるものとなる。【０００９】  以上に説明した実施例にあっては、杖本体７とピン本体１とは別体として構成するものであるが、杖本体７自体の先端部に先端円錐部２を直接施して一体として構成しても実質的には同じであり、その選択は設計上の問題である。先端円錐部２の角度或いは長さは軸径に左右されるが、大凡の目安としては、５ｍｍから長さは１０ｍｍ位の範囲であり角度は垂直軸に対して３０度から４５度程度のものとなる。
図示の例においてはプロテクタ−４の外周にロ−レット加工を施し、スプリングワッシャ−５を介して素手でも容易にロック状態を緩めることのできるものを示してるが、これ以外にもプロテクタ−４を角型に形成する等の変更は自由である。
【図面の簡単な説明】
【００１０】
【図１】  一実施例を示す杖全体の部分断面図である。
【図２】  図１と同一実施例における他の状態を示す杖全体の部分断面図である。
【符号の説明】
【００１１】１      ピン本体
２      先端円錐部
３      滑り止
４      プロテクタ０−
５      スプリングワッシャ−
６      ロックナット
７      杖本体
８      取手
【図１】
0003122879.tif 000003
【図２】
0003122879.tif 000004
(57)【要約】【課題】  本考案は、社会的弱者にも手軽に扱えるように考案された簡単に開閉できる軽量の傘型の風呂蓋である。【解決手段】  本考案は引張体１を引張紐２で引っ張ると引張体１からラッチ３が飛び出す。鋼性を持った骨材４により縮まろうとする傘本体６の力により鞘９にひっかかって、傘本体６は開いたままとなる。これを風呂上部の縁に置いて蓋として使用することが出来る収納時は引張紐２をさらに上方に引いてラッチ３を外し、骨材４の復元力を利用して収納する。【選択図】図１
0003122831.tif 000002
【実用新案登録請求の範囲】
【請求項１】
開閉の出来る傘状の風呂蓋
【請求項２】
開閉の出来る傘状の覆い蓋の底面に脱着の出来る吸盤のついたスカートを有する風呂蓋
【請求項３】
開閉の出来る傘状風呂蓋本体の頭頂部の引張紐の先端に本体を干すときに使用されるフックをつけた風呂蓋
【考案の詳細な説明】
【技術分野】
【０００１】  本考案は浴槽上に置かれる、傘状の開閉できる風呂蓋に関するものである。
【背景技術】
【０００２】  これまで浴槽の蓋は、浴槽の平面表面積に相似形をなして、必要条件として一定以上の大きさが必要であった。また、この大きさに比例して重量も加算的に増加した。
【考案の開示】
【考案が解決しようとする課題】
【０００３】  従来の浴槽の蓋は、特に狭小の浴室内において、その大きさと重量により据えつけや収納の際、高齢者や身障者にとっては労力を要し、大きな負担となっている。収納にもスペースをとり、邪魔であり社会的弱者にとっては浴室内では危険であった。
本考案は、前述の従来の浴槽蓋の欠点を解決するため、浴槽蓋を開閉自在の傘型にして、軽量化、小型化、デザイン性と操作性の向上を計ったものである。
【課題を解決するための手段】
【０００４】  本考案は、軽量材で作られた、ワンタッチで開閉自在の傘状の形態をなす蓋と、蓋に脱着可能なスカート状の材料が、傘状蓋の底面の浴槽面積の不足分を補完し、なおかつこれに付帯した吸着版で浴槽面に密着して、浴槽蓋を形成して、浴槽蓋の重量及び大きさの軽減と取り扱いの簡便さを計っている。
【考案の効果】
【０００５】  本考案は前述の通り、その軽量さと大きさ、収納時のコンパクト性等により、取り扱いの際、余計な力を必要としないで、扱えるので、高齢者や身障者にとって扱いやすい器材として提供できる。又狭小な浴室内でもコンパクトなため場所をとらず、フックを利用して吊り下げれば床に置かれず、つまずくこともなくなる。
【考案を実施するための最良の形態】
【０００６】  傘蓋本体の頭頂部を片方の手で持ち、もう一方の手で持ち、もう一方の手で頭頂部の中央の開孔部より外部に出ている引張紐を引っ張ると、引張体に緊結された鋼性を持ったアームが広がり、さらに引っ張る引張紐の下部の傘蓋の内側にあるラッチが頭頂の開孔部より飛び出して停止する。これで傘が広がった状態となり、浴槽の上において蓋として使用する。さらに傘蓋の拡張時の平面底面積が浴槽全体の平面表面積に不足する場合は、傘蓋の端部に取り付けられた脱着可能なスカート状の材料を拡げ、なおこれに取り付けられた吸盤をもって浴槽上に固定することができ、浴槽平面表面を全て覆うことが出来る。
収納時は、開いた傘の頭頂部に突出して止まっているラッチを押すと、鋼性を持ったアームにより自然に傘全体がつぼみ収納される。
本体を干すときや、吊るして収納する時は引張紐の先端のフックを利用することが出来る。
【実施例】
【０００７】  以下、添付図面に従って一実施例を説明する。１は引張体本体で上部のフック５を引っ張ると傘蓋６に緊結された鋼性をもった骨材４により傘６が開く。その際、引張体１に内包された鋼性をもったラッチ３が飛び出して鋼性を有する骨材４の反発力より開いていた傘本体６がその鋼性による復元力で元に戻ろうとする力を止め、傘本体６が開いたままとなる。この傘本体６が開いた状態のものを、風呂蓋として使用する。その際、傘本体６平面底面積が風呂平面表面積に足りない場合は、吸着版７のついたスカート８を拡げて不足面積を補うことが出来る。【０００８】  収納時は鞘９を持ちフック５上方に引くと、ラッチ３が自由になるので、これを引張体１の側に押し込んで傘６が骨材４復元力により自然につぼむのを利用して収納することが出来る。又、フック５を物干しロープなどに吊り下げて乾燥を兼ねて収納することが出来る。
【産業上の利用可能性】
【０００９】  本製品は、現在安価な外国製製品に市場を席巻されている、わが国の傘生産業界に、福祉産業という新たな分野に進出できるきっかけとなるであろう。
【図面の簡単な説明】
【００１０】
【図１】  本考案の開閉式風呂蓋の実施例を示す立体図である。
【図２】  本考案の開閉式風呂蓋の実施例の一部切欠断面図である。
【符号の説明】
【００１１】１  引張体
２  引張紐
３  ラッチ
４  骨材
５  フック
６  傘本体
７  吸引盤
８  スカート
９  鞘
１０  骨材緊結紐
【図１】
0003122831.tif 000003
【図２】
0003122831.tif 000004
(57)【要約】      （修正有）【課題】玄関或いはトイレから出るとき、スリッパは外向きに脱いでしまう。次に履く人は腰をかがめてスリッパの向きを変えなければならなかった。これをどちらに向いていようと履けるように改良したものである。【解決手段】１はスリッパ本体の姿図。２は耐久性のプラスチック等で一体製作しスリッパ布を取りつける。３は２を取りつけるためのピン穴とピン。４は２部分が容易に動かないように突起を付ける。５はスリッパを履いたとき足に違和感がないようにアール状に溝を掘る。６は反対方向から足を踏む事が分かりやすいように足のイラストを入れる。このように改良する事でスリッパの向きを変えるために腰をかがめる必要がない、腰痛防止に役立つ。【選択図】図１
0003122835.tif 000002
【実用新案登録請求の範囲】
【請求項１】
スリッパの履き口をシーソー型にプラスチック製等で製作し、この部品をスリッパの土台の中心部にピンで固定し、足で踏むことにより簡単に両方向に履けるスリッパ。
【考案の詳細な説明】
【技術分野】
【０００１】  本考案は、スリッパを進行方向に脱いでも、向きを変えることなくそのまま履ける。
【背景技術】
【０００２】  スリッパの向きを腰を曲げて手で変えなければならなかった。
【考案の開示】
【考案が解決しようとする課題】
【０００３】  玄関或いはトイレから出るとき、スリッパは外向きに脱いでしまう。次に履く人は腰をかがめてスリッパの向きを変えなければならなかった。これをどちらに向いていようと履けるように改良したものである。
【課題を解決するための手段】
【０００４】  本考案は、スリッパの履き口をシーソー型にプラスチック製等で製作し、この部品をスリッパの土台の中心部にピンで固定し、足で踏むことにより簡単に両方向に履けるようにした。
【考案の効果】
【０００５】  上述のように，本考案により腰を曲げてスリッパの向きを変える必要がなくなった。
【考案を実施するための最良の形態】
【０００６】  スリッパに足を踏み込む部分をシーソー型で製作し、これにスリッパ布を取りつけシーソーの角部分をスリッパの低部中央にピンで固定し自由に動くようにする。また、スリッパの踏む部分には足に違和感がないようにアール状の溝を掘り込む。
【実施例】
【０００７】  以下，添付図面にしたがって実施例を説明する。１はスリッパ本体の姿図。２は耐久性のプラスチック等で一体製作しスリッパ布を取りつける。３は２を取りつけるためのピン穴とピン。４は２部分が容易に動かないように突起を付ける。５はスリッパを履いたとき足に違和感がないようにアール状に溝を掘る。６は反対方向から足を踏む事が分かりやすいように足のイラストを入れる。
【図面の簡単な説明】
【０００８】
【図１】本考案の前後両方向に履けるスリッパの姿図である。
【図２】スリッパに足を踏み入れる部分のプラスチック製等の図である。
【符号の説明】
【０００９】１  スリッパ本体
２  プラスチック製のシーソー型足の踏み入れ口
３  ピン穴とピン
４  抵抗突起
５  アール状の溝
６  足のイラスト
【図１】
0003122835.tif 000003
【図２】
0003122835.tif 000004
(57)【要約】      （修正有）【課題】車用の天上の外側部分に磁石式の転回マーク矢を取付して赤板プラスチック反射で昼夜必要な時だけ車用のシガーライターに差込んで転回危険防止マークとした自動車転回マーク矢を提供する。【解決手段】自動車転回マーク矢の本体（１）の底面裏に磁石（２）をつけその底面の上に板台を置きその上にシガーライターから接続した電球（３）をはめ込みその先及び電球全体をかぶせてはめ込んだプラスチック赤板の筒（４）をはめ込んだ自動車転回マーク矢の構造。【選択図】図１
0003122849.tif 000002
【実用新案登録請求の範囲】
【請求項１】
自動車転回マーク矢の本体（１）の底面裏に磁石（２）をつけその底面の上に板台を置きその上にその上にシガーライターから接続した電球（３）を取付てその先及び電球全体をかぶせてはめ込んだプラスチック赤板の筒（４）をはめ込んだ自動車転回マーク矢の構造。
【考案の詳細な説明】
〔考案の詳細な説明〕
【０００１】〔産業上の利用分野〕
この考案は車用の天上の外側部分に磁石式の転回マーク矢を取付して赤板プラスチック反射で昼夜必要な時だけ車用のシガーライターに差込んで転回危険防止マークとした関するものであります。
【背景技術】
【０００２】従来のものでは転回のためににその仕草をするか又は右折の侭の指示器で転回するしかなかって苦労した。
【考案が解決しようとする課題】
【０００３】これは次のような欠点や難所があった。
〔イ〕前進車が右折か転回かが後続車や対向車が判断できない為車列変更と勘違いして猛スピードで通過していた。
〔ロ〕道路の拡大や複雑さに加え道のコースを間違ったり又無理な急転回を必要に迫られ行って来た等。
〔ハ〕右折丈の指示器では現在プロの運転手でさえ危険が大であり至難の技であり得る。
〔ニ〕大事故の折側面のボテーガブリキの如く弱く危険は大きい
【課題を解決するための手段】
【０００４】自動車転回マーク矢の本体（１）の底面裏に磁石（２）をつけその底面の上に板台を置きその上にシガーライターから接続した電球（３）をはめ込みその先及び電球全体をかぶせてはめ込んだプラスチック赤板の筒（４）をはめ込んだ自動車転回マーク矢の構造。
【０００５】〔作用〕
本件は必要な時だけ用いて使える便利さがある電池を必要としないし充電もいらないシガーライターを使用できる必要な時だけ天上の外に右窓左ハンドルは左窓より磁石でとり付できる又後進車や対向車に赤板プラスチックのユータン矢印が昼夜点灯し大事故を防止する等々。
【実施例】
【０００６】本考案の実施例は次の通り説明する。
先ず本体をシガーライターに接続し本体を運転席の窓をあけてから本件の本体を天上の外の端近くに磁石によつて取付けを行う事により赤板プラスチックのユータン矢印が点灯反射して相手車にその意思を確実に伝える事ができる。
【考案の効果】
【０００７】とも角大事故を防止できるユータン矢印である従ってストレスも溜らないですませる安心感がある不安を感じさせない。
【図面の簡単な説明】
【図１】本考案の側面図である。
【図１】
0003122849.tif 000003
(57)【要約】      （修正有）【課題】たばこの箱とライターを常時にかつ同時に共有できる。【解決手段】ライターにヒッカケグチを取り付け煙草箱の中味と外味の間に差し込む。【選択図】図２
0003122845.tif 000002
【実用新案登録請求の範囲】
【請求項１】
煙草の箱に取り付ける為にヒッカケグチを備えたライター
【考案の詳細な説明】
【考案が解決しようとする課題】
【０００１】煙草とライターを常時、同時に共有出来る様にするには、どのようにしたらいいか問題点があった。
【課題を解決するための手段】
【０００２】このライターは表面に、煙草箱に取り付けるよう図２に示すようヒッカケグチを備えたライターである。
【考案の効果】
【０００３】煙草とライターを同時に共有する利便性がある。
【図面の簡単な説明】
【図１】ヒッカケグチを備えたライターの正面図
【図２】ヒッカケグチを備えたライターの側面図
【図３】煙草箱の外味と中味の間にライターをひっかけた側面図である。
【符号の説明】
〔図１〕
１  ライターの正面図
２  ライターのヒッカケグチ
〔図２〕
３  ライターの側面図
４  ライターのヒッカケグチ
〔図３〕
５  煙草箱の側面
６  ライターの側面
７  ライターのヒッカケグチ
ライターのヒッカケグチを煙草の中味と外味の間に差し込む。
【図１】
0003122845.tif 000003
【図２】
0003122845.tif 000004
【図３】
0003122845.tif 000005
(57)【要約】【課題】  本考案は、簡易な施工で取り付け取り外しでき、アクリルフィルム樹脂を貼った特殊シートを使用し、摩擦係数を減らす事によって傾斜屋根上の積雪の落下を促進させるシート製品の基本構造を提供せんとするものである。【解決の手段】  傾斜屋根に積もった雪の落雪を促進する事を特徴とする取り付け取り外し可能な落雪シート（１）で、雪と接する外面にアクリルフィルム樹脂を貼った特殊シートを使用し、負担のかかる部分（２）はシートを２重にする事で補強し、摩擦等による破れを防ぐ。鳩目（５）にロープ等（６）を通し緊張し固定する。鳩目（５）上の固定器具挿入部に鉄管等（４）を通し、ロープ等（６）で固定する事も可能である。数年の使用に耐えうる事が出来る。【選択図】図１
0003122843.tif 000002
【実用新案登録請求の範囲】
【請求項１】
傾斜屋根に積もった雪の落雪を促進させる事を特徴とする取り付け取り外し可能なシートで、雪と接する外面はアクリルフィルム樹脂を貼ってあり内側は塩化ビニルと一体型の２層構造を有するシートを使用した、落雪シートの基本構造。
【考案の詳細な説明】
【技術分野】
【０００１】  本考案は屋根上の積雪を軽減することに関する。
【技術背景】
【０００２】  シートの表面に耐候を向上するためにアクリルフィルムを貼った特殊シートを利用して、アクリルフィルムの雪との低摩擦の特徴を利用し、瓦屋根やその他勾配のゆるい屋根、小屋根などに冬期間取り付け雪降ろし作業を軽減することに使用する。
【考案の開示】
【考案が解決しようとする課題】
【０００３】  本考案は、簡易な施工で取り付け取り外しでき、従来のシートでは水滴が付着し摩擦係数を高めたがアクリルフィルム樹脂（７）を張った塩化ビニル（８）のシートを使用する事により、摩擦係数を減らし、より自然落雪を促進させるシートを使用した、シート製品の基本構造を提供せんとするものである。
【課題を解決するための手段】
【０００４】  傾斜屋根に積もった雪の落雪を促進させる事を特徴とする取り付け取り外し可能なシート（１）で、雪と接する外面はアクリルフィルム樹脂（７）を貼ってあり内側はナイロン基布（９）を織り込んだ塩化ビニル（８）と一体型の２層構造を有するシートを使用し、負担のかかる屋根の頂点（棟）と端部（軒）には、摩擦による破れを防ぐ為に２重に補強（２）する。鳩目（５）にロープ等（６）を通して緊張して固定する。鳩目（５）上のシート固定器具挿入部（３）に鉄管等（４）を通し、ロープ等で固定する事も可能である。数年の使用に耐えうる事が出来る。
【考案の効果】
【０００５】  冬期間に屋根に取り付けることにより、雪が落ちにくく雪降ろしが必要な屋根の形状であっても自然に落雪が可能である。冬期間以外は取り外し可能である。【０００６】  屋根の形状に合った加工が可能で、取り付け取り外しが可能である。
【考案を実施するための最良の形態】
【０００７】  屋根上の雪の落ちにくい部分、又は屋根全体に落雪シートを掛ける。負担のかかる屋根の頂点（棟）と端部（軒）は２重に補強し、摩擦による破れを防ぐ。
【実施例】
【０００８】  大屋根から突き出た玄関の上の小屋根など雪が引っかかり落雪しづらい部分も、自然に落雪する。風でシートが飛ばされるのを防ぐために、長手方向にロープを縫込み、シート端（軒下）部から地面のアンカー、または壁に付けたアンカー位置まで伸ばして緊張して、短手方向の鳩目にロープを結んで緊張する。さらに鉄管等を入れて全体を緊張することも出来る。
【産業上の利用の可能性】
【図面の簡単な説明】
【０００９】  図は実際に屋根に取り付けた状態に近い図で、矢印の方向へ落雪する様に示している。【図１】  取り付けた状態を示す立体図である。
【図２】  使用するシートの構造を示す立体断面図である。
【符号の説明】
【００１０】１．  落雪シート表面
２．  シート２重補強部
３．  シート固定器具挿入部
４．  仮に固定器具を入れた状態
５．  鳩目
６．  取り付けロープ
７．  アクリルフィルム樹脂面
８．  塩化ビニル層
９．  ナイロン基布
【図１】
0003122843.tif 000003
【図２】
0003122843.tif 000004
(57)【要約】【課題】可燃物として廃棄処分することができ、また、シュレッダー処理を可能とした紙製の綴じ具に関するものである。【解決手段】可撓性があり丈夫な長尺の帯状紙片の中央部から左右端縁部に向かう一定領域の両側縁部に多数の連続する凹凸部を形成し、該凹凸部を帯状紙片を結び付けるときの係止手段としてなることを特徴とする紙製綴じ具。【選択図】図１
0003122841.tif 000002
【実用新案登録請求の範囲】
【請求項１】
可撓性があり丈夫な長尺の帯状紙片の中央部から左右端縁部に向かう一定領域の両側縁部に多数の連続する凹凸部を形成し、該凹凸部を帯状紙片を結び付けるときの係止手段としてなることを特徴とする紙製綴じ具。
【請求項２】
凹凸部を山形形状としたことを特徴とする請求項１に記載の紙製綴じ具。
【考案の詳細な説明】
【技術分野】
【０００１】
本考案は、袋の開口部や小箱類等を外側から囲繞して結び付けたり解除したりするための長尺となる紐状のもので、特に紙製よりなる綴じ具に関する。
【背景技術】
【０００２】
従来より綴じ具には各種のものがあり、その内、紐状のものも多く見受けられる。紐状のものとして近年、特許文献１に示すように袋の開口部や小箱の簡単な封止手段或いは花束等のバラバラなものを結束する手段として針金を芯としその周囲を軟質ビニールで包み込んだ綴じ具が使用されている。
【０００３】
この紐状の綴じ具は、芯部に針金が組み込まれているため折り曲げた状態をそのまま保持することが可能で、例えば、ビニール袋に収納された食品を小出しに使用して残った食品をそのままビニール袋に保存しておく場合、該ビニール袋の開口部を該紐状綴じ具によって巻き付け且つ重ねた端部側を旋回させることにより該紐状綴じ具を締め付け、該開口部を封止固定することにより該食品に外気が接することを防止している。開口部を封止固定或いは開放する簡便な手段として多用されている。
【特許文献１】特開平８−２５３２４９号公報
【考案の開示】
【考案が解決しようとする課題】
【０００４】
上記紐状綴じ具は芯部に硬質の針金が組み込まれているため、廃棄時には不燃物として処分されることになるが、紙製の袋等の可燃物の綴じ具として使用する場合には、可燃物と不燃物とが混在することになる。また、シュレッダー処理する場合、芯部の針金によりシュレッダーの刃を傷めることになり分離処分をしなければならなかった。
【０００５】
本考案は、上記課題を解決したもので、可燃物として処理することができ、また、シュレッダー処理を可能としたものである。
【課題を解決するための手段】
【０００６】
本考案は、可撓性があり丈夫な長尺の帯状紙片の中央部から左右端縁部に向かう一定領域の両側縁部に多数の連続する凹凸部を形成し、該凹凸部を帯状紙片を結び付けるときの係止手段としてなる紙製綴じ具を特徴とする。
【０００７】
また、上記凹凸部を山形形状とした紙製綴じ具を特徴とする。
【考案の効果】
【０００８】
本考案の紙製綴じ具は、本体全体を紙としているので、可燃物として処理することができ、また、同時に使用される紙片類とともにシュレッダー処理を可能とした。
【０００９】
更に、紙製綴じ具の長手方向両側縁部に多数の連続する凹凸状の係止手段を設けたので、結び付けた状態を該凹凸により保持することができ、簡便な手段により開口部等を綴じることを可能とし、且つ開放も容易に行なえることを可能とした。
【考案を実施するための最良の形態】
【００１０】
以下、本考案の実施の形態を図面に基づいて説明する。
【実施例】
【００１１】
図１は、本考案の紙製綴じ具１の平面図を示している。該紙製綴じ具１は、腰のある強い紙で且つ可撓性を有するものならば適宜のものが使用できる。該紙製綴じ具１の帯状に延設した長手方向の中央部から左右端縁部に向かう領域の両側縁部の一定領域には多数の山形状の凹凸部２を連続して形成している。中央部の位置から対称となるように且つ全体の１／３〜１／２程度の領域に凹凸を形成するようにして構成する。該凹凸部２はその凹部３相互及び凸部４相互との位置とが左右において各々一致する位置となるように両側縁部に形成する。
【００１２】
本考案の長尺の紙製綴じ具１を形成するには、図２に示すように、幅広な紙片５に対しプレス機等により長尺状で且つ両側縁部に凹凸部２が形成されるように切断すれば良い。隣接する他の紙製綴じ具１は側縁部の凹凸部２の位置を凹部３に対しては凸部が、凸部４に対しては凹部が位置するようにずらすことによって切断によって生じる端切れが出ることなく効率良く紙片５を利用することができる。
【００１３】
また、切断する際、長尺の両側縁部の一部を切断せずに連結部６として隣接位置の綴じ具１との連結状態を維持しておくことにより、未使用状態では該紙製綴じ具１が個々に分離することなく幅広な紙片５の状態で保管することができる。連結部６が点状態であれば、使用時において紙製綴じ具１として簡単に分離することができる。使用時に小紙片として分離できるので管理が容易となる。
【００１４】
図３は、ビニール袋や紙袋の開口部を結び付けたり或いは花束等を結束した場合の該紙製綴じ具１の固定状態を示すものである。該紙製綴じ具１を丸めて輪を形成し、締め付けるようにして結び付けることにより当該位置で凹凸部２が相互に係止することになり固定状態となる。
【００１５】
また、凹凸の係止状態を解除することにより締め付け状態を緩めることが可能となる。
【００１６】
上記実施例で使用する紙片は強度があり且つ可撓性があれば足りるが、その他、結び付けたときに生じる引張力に耐えることができるように特に長手方向に対して強度を有するものや、長手方向に対して伸縮性を有する紙片等を使用することもできる。
【図面の簡単な説明】
【００１７】
【図１】本考案の紙製綴じ具の平面図。
【図２】本考案の紙製綴じ具の元となる幅広の紙片をプレス形成した状態を示す平面図。
【図３】本考案の紙製綴じ具を結び付けた状態を示す斜視図。
【符号の説明】
【００１８】
１          紙製綴じ具
２          凹凸部
３          凹部
４          凸部
５          幅広な紙片
６          連結部
【図１】
0003122841.tif 000003
【図２】
0003122841.tif 000004
【図３】
0003122841.tif 000005